(57)【要約】【課題】  住宅環境や社会情勢の変化に対応して故人を偲ぶことができ礼拝や法要も行うことができる祭壇を提供することである。【解決手段】  遺品を収納するための遺品収納ケース１７を底部板１２に搭載し、底部板１２の背面側の隅部に立設された脚部１３に上部板１４を設ける。上部板１４は、底部板１２に対面して底部板１２の上部に所定の間隔を保って設けられ、遺品または仏具を収納するための物品収納ケース１８を搭載する。底部板１２と上部板１４との間の脚部１３に取り付けられた化粧板１５は額１６が取り付けられる。これにより、遺品収納ケースに収納された遺品を見ることができ、何時でも故人を偲ぶことができる。また、遺品収納ケースに収納しきれない遺品を物品収納ケースに収納することができ、また、礼拝や法要を行う際に使用する仏具を収納することもできる。【選択図】  図２
2005176931.tif 000002
【特許請求の範囲】
【請求項１】
遺品を収納するための遺品収納ケースを搭載する底部板と、前記底部板の背面側の隅部に立設された脚部と、前記底部板に対面して前記底部板の上部に所定の間隔を保って前記脚部により支持され遺品または仏具を収納するための物品収納ケースを搭載するための上部板と、前記底部板と前記上部板との間に設けられ前記脚部により支持される化粧板とを備えたことを特徴とする祭壇。
【請求項２】
遺品を収納するための遺品収納ケースと、前記遺品収納ケースの背面側の隅部に立設された脚部と、前記遺品収納ケースの上面に対面して前記遺品収納ケースの上部に所定の間隔を保って前記脚部により支持され遺品または仏具を収納するための物品収納ケースを搭載するための上部板と、前記遺品収納ケースと前記上部板との間に設けられ前記脚部により支持される化粧板とを備えたことを特徴とする祭壇。
【請求項３】
遺品を収納するための遺品収納ケースと、前記遺品収納ケースの背面側の隅部に立設された脚部と、前記遺品収納ケースの上面に対面して前記遺品収納ケースの上部に所定の間隔を保って前記脚部により支持され遺品または仏具を収納するための物品収納ケースと、前記遺品収納ケースと前記物品収納ケースとの間に設けられ前記脚部により支持される化粧板とを備えたことを特徴とする祭壇。
【請求項４】
前記底部板、前記上部板、前記遺品収納ケースまたは前記物品収納ケースに前後に出し入れ可能な引き出しを設けたことを特徴とする請求項１乃至請求項３のいずれか１項記載の祭壇。
【請求項５】
前記化粧板は、前記化粧板に額を取り付けるための額取付部を備えたことを特徴とする請求項１乃至請求項４のいずれか１項記載の祭壇。
【請求項６】
前記引き出しの前面部にプレートを取り付けるためのプレート設置部を備えたことを特徴とする請求項４記載の祭壇。
【発明の詳細な説明】
【技術分野】
【０００１】
本発明は、故人の遺品を身近に置き故人を偲ぶことができると共に礼拝や法要を住宅環境に合わせて行うことができる祭壇に関する。
【背景技術】
【０００２】
一般に、故人に対する日々の礼拝や法要は故人の遺品や写真を拝むことによって行われている。今日までの我国の一般的な慣習では、長男等の家督を継ぐ人が親をはじめご先祖の位牌を受け継いで守ることが行われている。例えば、家を出た次男以下の者は新たに新家を起こすことになるので、両親を偲んで日々礼拝をしたくても礼拝の対象物が身近にないことになる。また、女性のように他家に嫁いだ者や婿養子に出た者は、故人が親兄弟等の親近者であり、その故人を偲んで日々礼拝をしたくても対象物が身近にないことになる。
【０００３】
そこで、仏壇を持たない人でも故人の遺品や遺骨を身近におくことができ、故人に対する日々の礼拝や法要を自宅で行うことができるようにしたものがある（例えば、特許文献１参照）。
【０００４】
また、墓地不足による墓地や霊園等の高騰により墓地が入手できにくい状況にあることから、遺骨を遺品収納台や墓誌台内部収納室に分骨し、仏壇そのものを墓の代わりにできるようにしたものがある（例えば、特許文献２参照）。
【特許文献１】特開２００１−５４４６２号公報（図１）
【特許文献２】特開平９−２８５５０号公報（図２）
【発明の開示】
【発明が解決しようとする課題】
【０００５】
ところが、近年においては、核家族化が益々進むと共に少子化傾向であり、また、長男が都市部に就職して、我国古来からの長男が家や仏壇を守り継続していくことが難しくなっている。また、都市部では住宅事情からも大きな仏壇を用意し伝統的な法要を行うことができる状況ではなくなってきている。
【０００６】
そこで、現代では団地やマンションに適合させたコンパクトな仏壇が用意され、また、位牌もプレート式のものが出始め、宗旨や宗派にとらわれないモダンな位牌プレートやメモリアルプレート等のプレートを選択できるようにしたものが開発されている。故人に対する礼拝や法要は、形式や慣習にとらわれず故人を偲ぶ心が大切であって、住宅環境や社会情勢の変化があっても、その心は大切にしなければならない。
【０００７】
本発明の目的は、住宅環境や社会情勢の変化に対応して故人を偲ぶことができ礼拝や法要も行うことができる祭壇を提供することである。
【課題を解決するための手段】
【０００８】
請求項１の発明に係わる祭壇は、遺品を収納するための遺品収納ケースを搭載する底部板と、前記底部板の背面側の隅部に立設された脚部と、前記底部板に対面して前記底部板の上部に所定の間隔を保って前記脚部により支持され遺品または仏具を収納するための物品収納ケースを搭載するための上部板と、前記底部板と前記上部板との間に設けられ前記脚部により支持される化粧板とを備えたことを特徴とする。
【０００９】
請求項２の発明に係わる祭壇は、遺品を収納するための遺品収納ケースと、前記遺品収納ケースの背面側の隅部に立設された脚部と、前記遺品収納ケースの上面に対面して前記遺品収納ケースの上部に所定の間隔を保って前記脚部により支持され遺品または仏具を収納するための物品収納ケースを搭載するための上部板と、前記遺品収納ケースと前記上部板との間に設けられ前記脚部により支持される化粧板とを備えたことを特徴とする。
【００１０】
請求項３の発明に係わる祭壇は、遺品を収納するための遺品収納ケースと、前記遺品収納ケースの背面側の隅部に立設された脚部と、前記遺品収納ケースの上面に対面して前記遺品収納ケースの上部に所定の間隔を保って前記脚部により支持され遺品または仏具を収納するための物品収納ケースと、前記遺品収納ケースと前記物品収納ケースとの間に設けられ前記脚部により支持される化粧板とを備えたことを特徴とする。
【００１１】
請求項４の発明に係わる祭壇は、請求項１乃至請求項３のいずれか１項の発明において、前記底部板、前記上部板、前記遺品収納ケースまたは前記物品収納ケースに前後に出し入れ可能な引き出しを設けたことを特徴とする。
【００１２】
請求項５の発明に係わる祭壇は、請求項１乃至請求項４のいずれか１項の発明において、前記化粧板は、前記化粧板に額を取り付けるための額取付部を備えたことを特徴とする。
【００１３】
請求項６の発明に係わる祭壇は、請求項４の発明において、前記引き出しの前面部にプレートを取り付けるためのプレート設置部を備えたことを特徴とする。
【発明の効果】
【００１４】
本発明によれば、遺品収納ケースに収納された遺品を見ることができ、何時でも故人を偲ぶことができる。また、遺品収納ケースに収納しきれない遺品を物品収納ケースに収納することができ、また、礼拝や法要を行う際に使用する仏具を収納することもできる。
【００１５】
また、化粧板に遺影等の額を飾ることができ、遺品収納ケースの上面にコンパクト位牌や仏具さらにはお供え物を設置することができるので、礼拝や法要も容易に行うことができる。従って、団地やマンション等の限られたスペース内で他の家具との調和を保ちつつ、故人の居場所を確保し、遺族と共に生活を共有していくことができる。
【発明を実施するための最良の形態】
【００１６】
図１は本発明の第１の実施の形態に係わる祭壇の構成図であり、図１（ａ）は斜視図、図１（ｂ）は側面図である。祭壇１１は、設置場所である床や畳に接する底部板１２を底部に有し、その底部板１２の背面側の隅部には一対の脚部１３が立設されている。また、脚部１３には底部板１２に対面して底部板１２の上部に所定の間隔を保って上部板１４が設けられている。そして、底部板１２と上部板１４との間には化粧板１５が設けられており、この化粧板１５には額を取り付けるための額取付部１６が取り付けられている。底部板１２には遺品を収納するための遺品収納ケースが搭載され、上部板１４には遺品または仏具を収納するための物品収納ケースが搭載される。
【００１７】
図２は、底部板１２に遺品収納ケース１７を搭載し、上部板１４に物品収納ケース１８を搭載し、さらに化粧板１５に額１９を取り付けた場合の祭壇の構成図であり、図２（ａ）は斜視図、図２（ｂ）は側面図である。底部板１２には遺品収納ケース１７が搭載されている。この遺品収納ケース１７は、例えば本出願人の先の出願である特願２００３−３１４８９４号の遺品収納ケース１７が搭載される。すなわち、遺品収納ケース１７の前面部には、位牌プレートを装着するための位牌プレート設置部２０が設けられ、図２（ａ）では位牌プレート設置部２０として、位牌プレートを掛けるための掛け具２０ａ及び位牌プレートを搭載するための置き具２０ｂから構成されているものを示している。また、遺品収納ケース１７の上面部には、例えばコンパクト仏壇を搭載するための仏壇設置部２１が設けられており、図２では、仏壇設置部２１として、置き式のコンパクト仏壇を搭載し左右方向を係止するための左右係止具２１ａ及び前方向を係止するための前方係止具２１ｂが設けられた場合を示している。
【００１８】
一方、上部板１４には物品収納ケース１８が搭載されている。物品収納ケース１８は遺品または仏具を収納するためのケースであり、図２では位牌プレート設置部２０として位牌プレートを搭載するための置き具２０ｂが設けられたものを示している。
【００１９】
また、化粧板１５に額１９が取り付けられており、額１９は額取付部１６により化粧板１５に取り付けられる。なお、額取付部１６は化粧板１５に独立の部材として取り付けても良いし、化粧板１５に一体的に形成しても良い。例えば、化粧板１５をメッシュ状に形成した場合には、メッシュによって形成される網目部分に額１９の取付部材を挿入して額１９を取り付けるようにしても良い。この額には故人の遺影、故人に関する思い出の写真、さらには各種の絵画や写真等を飾ることになる。
【００２０】
図３は、遺品収納ケース１７の斜視図である。遺品収納ケース１７は箱体に形成され、底面板２２に故人の遺品が配列される。底面板２２の左右両辺には左右側面板２３ａ、２３ｂが垂直に立設して取り付けられ、背面側には背面板２４が垂直に立設して取り付けられている。また、底面板２２に対面して上面板２５が着脱自在に取り付けられ、背面板２４に対面して前面板２６が着脱自在に取り付けられている。これら底面板２２、左右側面板２３ａ、２３ｂ、背面板２４、上面板２５、前面板２６にて収納ケース本体を形成し、少なくとも上面板２５及び前面板２６は透明部材で形成されている。
【００２１】
前面板２６には、位牌プレートを装着するための位牌プレート設置部２０が設けられている。図３では、位牌プレート設置部２０として、位牌プレートを掛けるための掛け具２０ａ及び位牌プレートを搭載するための置き具２０ｂの双方を設けた場合を示している。また、背面板２４の近傍の上面板２５には、コンパクト仏壇を搭載するための仏壇設置部２１が設けられており、図３では、仏壇設置部２１として、置き式のコンパクト仏壇を搭載し左右方向を係止するための左右係止具２０ａ及び前方向を係止するための前方係止具２０ｂを設けた場合を示している。
【００２２】
図４は、図３に示した遺品収納ケース１７の前面板２６を半開にした場合の斜視図である。前面板２６は側面板２３ａ、２３ｂのスライド機構部により上下方向にスライド可能となっており、遺品収納ケース１７に遺品を収納する際には前面板２６を外し、さらに上面板２５を外した状態で底面板２２に遺品を配列する。その後に上面板２５及び前面板２６を装着する。そして、位牌プレート設置部２０に位牌プレートを装着し、仏壇設置部２１に置き式のコンパクト仏壇を搭載して設置する。少なくとも上面板２５及び前面板２６は透明部材で形成されていることから、仏壇に正対したとき底面板２２に配列された遺品は透き通って外部から見えるので、故人を偲ぶことができる。また、上面板２５には仏具やお供え等を搭載することができる。
【００２３】
前面板２６は側面板２３ａ、２３ｂのスライド機構部により上下方向にスライド可能となっているので、前面板２６を上下方向に開き、遺品収納ケース１７に遺品を収納した後に懐かしの遺品を取り出したり、また再度収納したりすることができる。また、遺品の配列替え等を行う際にも、前面板２６を上下方向に開くことにより行うことができる。すなわち、上面板２５も着脱可能となっているが、通常の使用状態では上面板２５にはコンパクト仏壇やお供え等が搭載されるので、その状態を保持したまま遺品の出し入れを行うために、前面板２６を上下方向に開くことができるようにしている。
【００２４】
図５は、遺品収納ケース１７に装着される位牌プレート２７の一例を示す斜視図である。図５では掛け式の位牌プレート２７を示している。位牌プレート２７はプレート部２８と鎖部２９とからなり、位牌プレート２７には、例えば故人の氏名あるいは戒名や生没年が記載され、鎖部２９を位牌プレート設置部２０である掛け具２０ａに掛けて遺品収納ケース１７に装着する。このように、位牌プレート２７は宗旨や宗派にとらわれないモダンな位牌プレートとしている。なお、置き式の位牌プレートの場合には鎖部２９は必ずしも必要ではなく、位牌プレート設置部２０である置き具２０ｂに搭載して遺品収納ケース１７に装着することになる。このように、位牌プレート２７は掛け式や置き式の２通りから選択できるので、従来の位牌も設置することができる。位牌プレート２７としては、故人の遺骨を骨粉にしてセラミック等に混ぜて焼結したもの等を用いることができる。
【００２５】
図６は、遺品収納ケース１７に適用されるコンパクト仏壇３０の一例を示す斜視図であり、図６（ａ）は置き式のコンパクト仏壇３０ａの斜視図、図６（ｂ）は掛け式のコンパクト仏壇３０ｂの斜視図である。図３（ａ）に示すように、置き式のコンパクト仏壇３０ａは、故人の写真を飾る写真立て部３１と、生花を生けた花瓶等を搭載するための平板部３２と、写真立て部３１及び平板部３２を保持する台座部３３とから構成される。この置き式のコンパクト仏壇３０ａを遺品収納ケース１７に適用するにあたっては、台座部３３を仏壇設置部２１である左右係止具２０ａ及び前方係止具２０ｂで囲われた上面板２５の領域に搭載して置き式コンパクト仏壇３０ａを設置する。
【００２６】
一方、掛け式のコンパクト仏壇３０ｂは、置き式のコンパクト仏壇３０ａと同様に、故人の写真を飾る写真立て部３１と、生花を生けた花瓶等を搭載するための平板部３２と、写真立て部３１及び平板部３２を保持する台座部３３とから構成されるが、写真立て部３１、平板部３２、台座部３３の背面は、同一平面となるように構成され、これより壁面または祭壇１１の化粧板１５に沿って掛けられる。すなわち、この掛け式のコンパクト仏壇３０ｂを遺品収納ケース１７に適用するにあたっては、遺品収納ケースの背面板２４の上部の壁面または祭壇１１の化粧板１５に、図示省略の壁掛け具により掛けることになる。従って、掛け式のコンパクト仏壇３０ｂを使用する場合には、仏壇設置部２１は必要なくなる。
【００２７】
図７は物品収納ケース１８の斜視図である。物品収納ケース１８も遺品収納ケースと同様に構成され、遺品を収納する場合には少なくとも上面板２５及び前面板２６は透明部材で形成する。また、仏具や人に見られたくな遺品等を収納する場合には、背面板２４、上面板２５、前面板２６及び側面板２３は非透明部材で形成する。物品収納ケース１８の前面板２６には、必要に応じて位牌プレート設置部２０を設ける。図７では、位牌プレート設置部２０として、位牌プレート２７を搭載するための置き具２０ｂが設けられたものを示している。
【００２８】
第１の実施の形態によれば、底部板１２には遺品を収納するための遺品収納ケース１７が搭載されるので、遺品収納ケース１７に収納された遺品を見ることができ、何時でも故人を偲ぶことができる。また、上部板１４には遺品または仏具を収納するための物品収納ケースが搭載されるので、遺品収納ケース１７に収納しきれない遺品を物品収納ケース１８に収納することができ、また、礼拝や法要を行う際に使用する仏具を収納することもできる。
【００２９】
また、上部板１４と底部板１２との間には化粧板１５が設けられているので、化粧板１５に遺影等の額１９を飾ることができ、遺品収納ケース１７の上面にコンパクト位牌や仏具さらにはお供え物を設置することができるので、礼拝や法要も容易に行うことができる。従って、団地やマンション等の限られたスペース内で他の家具との調和を保ちつつ、故人の居場所を確保し、遺族と共に生活を共有していくことができる。
【００３０】
図８は本発明の第２の実施の形態に係わる祭壇１１の構成図であり、図８（ａ）は斜視図、図８（ｂ）は側面図である。この第２の実施の形態は、図１に示した第１の実施の形態に対し、底部板１２に代えて遺品を収納するための遺品収納ケース１７を直接的に設けたものである。図１に示した第１の実施の形態と同一要素には同一符号を付し重複する説明は省略する。
【００３１】
遺品収納ケース１７自体は図３に示したものと同じであり、前面板２６に位牌プレートを装着するための位牌プレート設置部２０を備え、上面板２５に仏壇設置部２１を備えている。そして、遺品収納ケース１７の背面板２４の隅部に脚部１３を立設して直接的に遺品収納ケース１７を取り付けている。上部板１４は、遺品収納ケース１７の上面板２５に対面して遺品収納ケース１７の上部に所定の間隔を保って設けられている。上部板１４は脚部１３により支持され、上部板１４には遺品または仏具を収納するための物品収納ケース１８が搭載される。また、遺品収納ケース１７と上部板１４との間には脚部１３により支持される化粧板１５が設けられ、化粧板１５には額を取り付けるための額取付部１６が取り付けられている。
【００３２】
第２の実施の形態によれば、遺品収納ケース１７を祭壇１１に一体的に取り付けているので、第１の実施の形態の効果に加え底部板が不要となる。
【００３３】
図９は本発明の第３の実施の形態に係わる祭壇１１の構成図であり、図９（ａ）は斜視図、図９（ｂ）は側面図である。この第３の実施の形態は、図１に示した第１の実施の形態に対し、底部板１２に代えて遺品を収納するための遺品収納ケース１７を直接的に設け、また、上部板１４に代えて遺品または仏具を収納するための物品収納ケース１８を設けたものである。図１に示した第１の実施の形態と同一要素には同一符号を付し重複する説明は省略する。
【００３４】
遺品収納ケース１７自体は図３に示したものと同じであり、前面板２６に位牌プレートを装着するための位牌プレート設置部２０を備え、上面板２５に仏壇設置部２１を備えている。また、物品収納ケース１８自体は図７に示したものと同じであり、前面板２６に位牌プレート設置部２０を備えている。そして、遺品収納ケース１７の背面板２４の隅部に脚部１３を立設して直接的に遺品収納ケース１７を取り付けている。物品収納ケース１８は、遺品収納ケース１７の上面板２５に対面して遺品収納ケース１７の上部に所定の間隔を保って設けられている。物品収納ケース１８は脚部１３により直接的に支持され、物品収納ケース１８には遺品または仏具を収納する。また、遺品収納ケース１７と物品収納ケース１８との間には脚部１３により支持される化粧板１５が設けられ、化粧板１５には額を取り付けるための額取付部１６が取り付けられている。
【００３５】
第３の実施の形態によれば、遺品収納ケース１７及び物品収納ケース１８を祭壇１１に一体的に取り付けているので、第１の実施の形態の効果に加え底部板や上部板が不要となる。
【００３６】
図１０は本発明の第４の実施の形態に係わる祭壇１１の斜視図である。この第４の実施の形態は、図１に示した第１の実施の形態に対し、底部板１２及び上部板１４の双方に引き出し３４を設けたものである。図１と同一要素には同一符号を付し重複する説明は省略する。
【００３７】
図１０に示すように、底部板１２及び上部板１４の下部に前後に出し入れ可能な引き出し３４ａ、３４ｂが設けられている。底部板１２の下部に設けられた引き出し３４ａには位牌プレート設置部２０として置き具２０ｂが設けられている。この引き出し３４ａ、３４ｂには、例えば仏具や礼拝に必要なその他のものが収納される。そして、礼拝をする際に使用する仏具や礼拝に必要なものを引き出し３４ａ、３４ｂから取り出し、底部板１２に搭載された遺品収納ケースの上面板に搭載する。そして、礼拝が済んだ後は、それらのものは引き出し３４ａ、３４ｂに片付けられる。
【００３８】
以上の説明では、底部板１２及び上部板１４の双方に引き出し３４ａ、３４ｂを設けた場合について説明したが、いずれか一方に設けるようにしても良い。また、底部板１２に設けられた引き出し３４ａに位牌プレート設置部２０を設けたものを示したが、上部板１４に設けられた引き出し３４ｂに位牌プレート設置部２０を設けるようにしてもよい。すなわち、引き出し３４ａ、３４ｂの双方またはいずれか一方に位牌プレート設置部２０を設けるようにしてもよい。また、引き出し３４ａ、３４ｂには位牌プレート設置部２０を設けなくても良い。
【００３９】
第１０の実施の形態によれば、第１の実施の形態の効果に加え、引き出し３４を設けるので、常時は使用しない礼拝をする際に使用する仏具や礼拝に必要なものを収納しておくことができる。また、遺品のうち他人に見られたくないものや、ごく限られた人だけに見せるものを収納しておくことができる。
【００４０】
図１１は本発明の第５の実施の形態に係わる祭壇１１の斜視図である。この第５の実施の形態は、図９に示した第３の実施の形態に対し、遺品収納ケース１７及び物品収納ケース１８の双方に引き出し３４を設けたものである。図９と同一要素には同一符号を付し重複する説明は省略する。
【００４１】
図１１に示すように、遺品収納ケース１７及び物品収納ケース１８の下部に前後に出し入れ可能な引き出し３４ａ、３４ｂが設けられている。この引き出し３４ａ、３４ｂには、例えば仏具や礼拝に必要なその他のものが収納される。そして、礼拝をする際に使用する仏具や礼拝に必要なものを引き出し３４ａ、３４ｂから取り出し、遺品収納ケース１７の上面板に搭載する。そして、礼拝が済んだ後は、それらのものは引き出し３４ａ、３４ｂに片付けられる。
【００４２】
以上の説明では、遺品収納ケース１７及び物品収納ケース１８の双方に引き出し３４ａ、３４ｂを設けた場合について説明したが、いずれか一方に設けるようにしても良い。また、引き出し３４ａ、３４ｂには位牌プレート設置部２０を設けないものを示したが、位牌プレート設置部２０を設けるようにしてもよい。
【００４３】
第１１の実施の形態によれば、第３の実施の形態の効果に加え、引き出し３４を設けるので、常時は使用しない礼拝をする際に使用する仏具や礼拝に必要なものを収納しておくことができる。また、遺品のうち他人に見られたくないものや、ごく限られた人だけに見せるものを収納しておくことができる。また、図８に示す第２の実施の形態の上部板１４または遺品収納ケース１７に引き出し３４を設けるようにしてもよいことは言うまでもない。
【図面の簡単な説明】
【００４４】
【図１】本発明の第１の実施の形態に係わる祭壇の構成図。
【図２】本発明の第１の実施の形態における祭壇に遺品収納ケース及び物品収納ケースを搭載し化粧板に額を取り付けた場合の祭壇の構成図。
【図３】本発明の第１の実施の形態における遺品収納ケースの斜視図。
【図４】図３に示した遺品収納ケースの前面板を半開にした場合の斜視図。
【図５】本発明の第１の実施の形態における遺品収納ケースに装着される位牌プレートの一例を示す斜視図。
【図６】本発明の第１の実施の形態における遺品収納ケースに適用されるコンパクト仏壇の一例を示す斜視図。
【図７】本発明の第１の実施の形態における物品収納ケースの斜視図。
【図８】本発明の第２の実施の形態に係わる祭壇の構成図。
【図９】本発明の第３の実施の形態に係わる祭壇の構成図。
【図１０】本発明の第４の実施の形態に係わる祭壇の斜視図。
【図１１】本発明の第５の実施の形態に係わる祭壇の斜視図。
【符号の説明】
【００４５】
１１…祭壇、１２…底部板、１３…脚部、１４…上部板、１５…化粧板、１６…額取付部、１７…遺品収納ケース、１８…物品収納ケース、１９…額、２０…位牌プレート設置部、２０ａ…掛け具、２０ｂ…置き具、２１…仏壇設置部、２２…底面板、２３…側面板、２４…背面板、２５…上面板、２６…前面板、２７…位牌プレート、２８…プレート部、２９…鎖部、３０…コンパクト仏壇、３１…写真立て部、３２…平板部、３３…台座部、３４…引き出し
【図１】
2005176931.tif 000003
【図２】
2005176931.tif 000004
【図３】
2005176931.tif 000005
【図４】
2005176931.tif 000006
【図５】
2005176931.tif 000007
【図６】
2005176931.tif 000008
【図７】
2005176931.tif 000009
【図８】
2005176931.tif 000010
【図９】
2005176931.tif 000011
【図１０】
2005176931.tif 000012
【図１１】
2005176931.tif 000013